(57)【要約】【課題】  高い重量安定性の下での保護機能と周囲の自然環境に対する調和機能とを兼ね備えるだけでなく、部品点数の低減と自然石の脱落防止とを図ることができる土木構築物用ユニットを提供する。【解決手段】  複数の自然石６が、区画壁として、区画空間１０を区画するように並べられ、その区画空間１０内にコンクリートベース７が配置されている。各自然石６にはアンカー１１が、その一端部をもって連結され、その一端部よりも他端側はコンクリートベース７内に埋め込まれている。そのアンカー１１の状態は、他端部が一端部よりも低くなるように傾斜され、外力に対して大きな抵抗力Ｒが発生する構成となっている。【選択図】        図４
2006132314.tif 000002
【特許請求の範囲】
【請求項１】
略一定厚みとされたコンクリート基盤が備えられ、
前記コンクリート基盤の周囲に、該コンクリート基盤の厚み以上の径を有する塊状部材が複数設けられ、
前記複数の塊状部材が、区画壁として、前記コンクリート基盤の周囲全周に亘って連続的に列をなして配置され、
前記各塊状部材にアンカーが、その一端部をもって連結されていると共に、該各アンカーの一端部よりも他端側が前記コンクリート基盤内に埋め込まれている、
ことを特徴とする土木構築物用ユニット。
【請求項２】
請求項１において、
前記アンカーの一端部の位置と該アンカーの他端部の位置とが、上下方向においてずれている、
ことを特徴とする土木構築物用ユニット。
【請求項３】
請求項２において、
前記アンカーが、該アンカーの他端部が該アンカーの一端部よりも低くなるように傾斜されている、
ことを特徴とする土木構築物用ユニット。
【請求項４】
請求項１において、
前記コンクリート基盤の上面及び下面に、該コンクリート基盤の上面及び下面を覆うように塊状部材が取付けられている、
ことを特徴とする土木構築物用ユニット。
【請求項５】
請求項４において、
前記コンクリート基盤の周囲が、４個の塊状部材をもって囲まれ、
前記コンクリート基盤の上面及び下面が、それぞれ１個の塊状部材により覆われている、
ことを特徴とする土木構築物用ユニット。
【請求項６】
先ず、塊状部材を、該塊状部材からアンカーが上方に向かって延びるようにしつつ、作業面下に埋めた状態とし、
次に、前記作業面上に、前記塊状部材の周囲において別の複数の塊状部材を配置して区画空間を形成すると共に、該区画空間内に該各塊状部材からアンカーをそれぞれ延ばした状態とし、
次に、前記区画空間内にコンクリートを充填し、
次に、前記コンクリート内に、該コンクリートが未硬化状態のうちに、アンカーを該コンクリートの上面側から差し込んで、該アンカーを介してさらに別の塊状部材を該コンクリートの上面側に取付ける、
ことを特徴とする土木構築物用ユニットの製造方法。
【請求項７】
請求項６において、
前記作業面上の前記複数の塊状部材の周囲に、前記区画空間内にコンクリートを充填する前において砂を盛って、隣り合う塊状部材間の隙間を該砂により塞ぐ、
ことを特徴とする土木構築物用ユニットの製造方法。
【請求項８】
請求項６又は７において、
前記各塊状部材が、アンカーが予め取付けられたアンカー付き塊状部材とされている、
ことを特徴とする土木構築物用ユニットの製造方法。
【請求項９】
請求項６〜８のいずれかにおいて、
前記作業面下に埋める塊状部材の数が１個とされ、
前記作業面上に配置する複数の塊状部材の数が４個とされ、
前記コンクリートの上面側に取付ける塊状部材の数が１個とされる、
ことを特徴とする土木構築物用ユニットの製造方法。
【発明の詳細な説明】
【技術分野】
【０００１】
本発明は、土木構築物用ユニット及び土木構築物用ユニットの製造方法に関する。
【背景技術】
【０００２】
土木構築物としての護岸には、多数の土木構築物用ユニットを施工面に敷設したもの、複数の土木構築物用ユニットを階段状に積み上げたもの等がある。この土木構築物用ユニットには、例えば特許文献１に示すように、中詰め石が詰め込まれた籠の表面に修景用石を取付け、その修景用石により籠の表面を覆うものがある。このものによれば、高い重量安定性の下で、施工面を保護できるだけでなく、籠表面の修景用石に基づき、籠を保護できると共に、周囲の自然環境に調和させることができることになる。
【特許文献１】特許第２８２３５１０号
【発明の開示】
【発明が解決しようとする課題】
【０００３】
しかし、上記土木構築物用ユニットにおいては、重量安定性を確保するためには、中詰め石だけでなくその中詰め石を充填する籠が必要となり、重量確保部材として、２種類もの部品が必要となる。
しかも、作業に関しては、中詰め石を充填するための籠の組立が必要となるばかりか、その籠内への中詰め石の充填、さらには、籠表面に対する修景用石の取付け作業が必要となり、その作業負担は軽くはない。
【０００４】
本発明は、このような事情に鑑みてなされたもので、その第１の技術的課題は、高い重量安定性の下での保護機能と周囲の自然環境に対する調和機能とを兼ね備えるだけでなく、部品点数の低減を図ることができる土木構築物用ユニットを提供することにある。
第２の技術的課題は、高い重量安定性の下での保護機能と周囲の自然環境に対する調和機能とを兼ね備えるだけでなく、部品点数の低減を図ることができる土木構築物用ユニットを容易に製造できる土木構築物用ユニットの製造方法を提供することにある。
【課題を解決するための手段】
【０００５】
上記第１の技術的課題を達成するために本発明（請求項１に係る発明）にあっては、
略一定厚みとされたコンクリート基盤が備えられ、
前記コンクリート基盤の周囲に、該コンクリート基盤の厚み以上の径を有する塊状部材が複数設けられ、
前記複数の塊状部材が、区画壁として、前記コンクリート基盤の周囲全周に亘って連続的に列をなして配置され、
前記各塊状部材にアンカーが、その一端部をもって連結されていると共に、該各アンカーの一端部よりも他端側が前記コンクリート基盤内に埋め込まれている、
ことを特徴とする土木構築物用ユニットとした構成としてある。この請求項１の好ましい態様としては、請求項２〜５の記載の通りとなる。
【０００６】
上記第２の技術的課題を達成するために本発明（請求項６に係る発明）にあっては、
先ず、塊状部材を、該塊状部材からアンカーが上方に向かって延びるようにしつつ、作業面下に埋めた状態とし、
次に、前記作業面上に、前記塊状部材の周囲において別の複数の塊状部材を配置して区画空間を形成すると共に、該区画空間内に該各塊状部材からアンカーをそれぞれ延ばした状態とし、
次に、前記区画空間内にコンクリートを充填し、
次に、前記コンクリート内に、該コンクリートが未硬化状態のうちに、アンカーを該コンクリートの上面側から差し込んで、該アンカーを介してさらに別の塊状部材を該コンクリートの上面側に取付ける、
ことを特徴とする土木構築物用ユニットの製造方法とした構成としてある。この請求項６の好ましい態様としては、請求項７以下の記載の通りとなる。
【発明の効果】
【０００７】
請求項１に係る発明によれば、複数の塊状部材とコンクリート基盤とにより重量安定性を確保できると共に、そのコンクリート基盤を囲む複数の塊状部材の不規則な形状に基づき周囲の自然環境に調和させることができることになる。その一方、重量安定性を確保するための部品としてコンクリート基盤を用いることから、籠等の収容容器を省くことができることになり、部品点数の低減を図ることができることになる。このため、高い重量安定性の下での保護機能と周囲の自然環境に対する調和機能とを兼ね備えるだけでなく、部品点数の低減を図ることができる土木構築物用ユニットを提供できることになる。
【０００８】
請求項２に係る発明によれば、アンカーの一端部の位置と該アンカーの他端部の位置とが、上下方向においてずれていることから、塊状部材に作用しがちな外力（コンクリート基盤の側面に対して垂直方向に作用する外力）に対して、アンカーとコンクリート基盤とが効果的に係合して、抗することになる。このため、塊状部材の脱落防止の確実性を高めることができることになる。
【０００９】
請求項３に係る発明によれば、アンカーが、該アンカーの他端部が該アンカーの一端部よりも低くなるように傾斜されていることから、塊状部材に対して作用しがちな外力（コンクリート基盤の側面に対して垂直方向の外力）が働いても、アンカーとコンクリート基盤との係合関係に基づき大きな移動抵抗力を発生できることになり、塊状部材の脱落防止の確実性を高めることができることになる。
【００１０】
請求項４に係る発明によれば、コンクリート基盤の上面及び下面に、該コンクリート基盤を覆うようにして塊状部材が取付けられていることから、コンクリート基盤の側面、上面及び下面が塊状部材により覆われることになり、周囲の自然環境に一層調和させることができることになる。
【００１１】
請求項５に係る発明によれば、コンクリート基盤の周囲が、４個の塊状部材をもって囲まれ、コンクリート基盤の上面及び下面が、それぞれ１個の塊状部材により覆われていることから、当該土木構築物用ユニットを多数重ねて用いることにより、護岸、護床機能に加えて、消波機能をも発揮できる。
【００１２】
請求項６に係る発明によれば、先ず、塊状部材を、該塊状部材からアンカーが上方に向かって延びるようにしつつ、作業面下に埋めた状態とし、次に、前記作業面上に、前記塊状部材の周囲において別の複数の塊状部材を配置して区画空間を形成すると共に、該区画空間内に該各塊状部材からアンカーをそれぞれ延ばした状態とし、次に、前記区画空間内にコンクリートを充填し、次に、前記コンクリート内に、該コンクリートが未硬化状態のうちに、アンカーを該コンクリートの上面側から差し込んで、該アンカーを介してさらに別の塊状部材を該コンクリートの上面側に取付けることから、複数の塊状部材を区画壁として利用してその区画空間内にコンクリートを充填でき、そのコンクリート内に各塊状部材のアンカーを埋設できることになり、そのコンクリートの硬化を待って、コンクリート基盤が形成されることになる。このため、前記請求項４に係る土木構築物用ユニットを具体的に製造できることになる。
また、複数の塊状部材が区画する区画空間を利用して、その区画空間内へのコンクリートの充填作業だけで、重量部材の確保、各塊状部材の取付けが行われることになり、作業負担を軽減できることになる。このため、上記土木構築物用ユニットを容易に製造できることになる。
【００１３】
請求項７に係る発明によれば、作業面上の複数の塊状部材の周囲に、区画空間内にコンクリートを充填する前において砂を盛って、隣り合う塊状部材間の隙間を該砂により塞ぐことから、前記請求項６の作用効果を具体的に実現できる。
【００１４】
請求項８に係る発明によれば、各塊状部材が、アンカーが予め取付けられたアンカー付き塊状部材とされていることから、前記請求項４に係る土木構築物用ユニットを具体的且つ容易に製造できる。
【００１５】
請求項９に係る発明によれば、作業面下に埋める塊状部材の数が１個とされ、前記作業面上に配置する複数の塊状部材の数が４個とされ、前記コンクリートの上面側に取付ける塊状部材の数が１個とされることから、前記請求項５に係る土木構築物用ユニットを具体的に且つ容易に製造できる。
【発明を実施するための最良の形態】
【００１６】
以下、本発明の実施の形態について図面を参照して詳細に説明する。
図１〜図７は第１実施形態を示す。その図１において、符号１は海岸護岸で、この護岸１においては、雑石層２、捨石層３上に、海側に向かうに従って低くなるように傾斜した被覆石層４が形成されている。この被覆石層４における上側領域の上面には、多数の実施
形態に係る土木構築物用ユニット５が敷き詰められており、その各土木構築物用ユニット５により施工面に対する保護が図られている。
尚、図１において、Ｈ１は海面の上水位、Ｈ２は海面の低水位を示している。
【００１７】
前記各土木構築物用ユニット５は、図２〜図４に示すように、基本的には、複数の自然石（塊状部材）６と、コンクリートベース（コンクリート基盤）７とを備えている。
【００１８】
前記複数の自然石６は、シート（例えば長繊維不織布）８の周縁部上にその全周に亘って配置されている。この複数の自然石６は、隣り合う自然石６との間に若干の隙間９をあけつつ配置されており、それら自然石６は、外部に対する当該土木構築物用ユニット５自体の内部空間として、シート８上に区画空間１０を区画している。本実施形態においては、自然石６として、６００ｍｍ前後の径の大きさのものが８個用いられ、それらが、一辺が２ｍ前後とされた正方形のシート８の周縁部上に配置されている。また、自然石６としては、種々のものを用いることができるが、表面に凹凸がある割石等が好ましい。
また、この各自然石６には、区画空間１０に臨む側において、取付け孔１２が形成されている。その取付け孔１２内にはアンカー式の取付け具（図示略）が取付けられており（例えばメタルヒットアンカー）、その取付け具により雌ねじ部（図示略）が確保されている。
【００１９】
前記コンクリートベース７は、前記区画空間１０内に収納されている。このコンクリートベース７は、コンクリート（未硬化状態）を区画空間１０内に充填した後、硬化させることにより形成されており、コンクリートベース７の外周縁部は、各自然石６（割石）表面の凹部等に入り込んで接着、係合しているばかりでなく、隣り合う自然石６間の隙間９にも深く進入している。このため、本実施形態においては、コンクリートベース７の外周縁部がシート８の外周縁部の近くにまで及んで、該コンクリートベース７の容積（重量）の増大が図られていると共に、そのコンクリートベース７の外周縁部と各自然石６との間で強固な係合関係が確保されることになっている。
【００２０】
前記各自然石６は、図４に示すように、アンカー１１を介して前記コンクリートベース７の側面側に連結されている。アンカー１１は、本実施形態においては、直線状の線材とされて、その一端部に雄ねじ部が形成されている。その一端部は、自然石６における取付け孔１２内の取付け具（図４において図示略）に螺合することにより該自然石６と一体化（連結）されており、その一端部よりも他端側は、コンクリートベース７内に埋め込まれている。
【００２１】
この場合、図４に示すように、アンカー１１の一端部が自然石６の背面略中央部に取付けられている一方、アンカー１１の他端部が、区画空間１０内においてシート８上に位置されることになっており、その配置関係に基づき、アンカー１１は、その他端部がその一端部よりも低くなるように傾斜されている（傾斜角をθをもって示す）。これにより、各自然石６に対する抜け方向の外力として、施工面に対して略水平方向の外力Ｆが作用しても、コンクリートベース７とアンカー１１との摩擦力だけでなく、アンカー１１の傾斜に基づくコンクリートベース７に対する抵抗力Ｒが得られることになっている。勿論、土木構築物用ユニット５を施工面に敷設した場合には、隣り合う土木構築物用ユニット５の自然石６に当接することになり、その隣り合う土木構築物用ユニット２（自然石６）によってもアンカー付き自然石６のコンクリートベース７からの脱落が防止される。
【００２２】
また、前記各自然石６の各アンカー１１の他端部は、図４、図５に示すように、コンクリートベース７の下側中央部付近において、交差するように配置されている。このため、コンクリートベース７の下側中央付近においては、各アンカー１１の他端部が集中して、剛性が高まることになっており、当該土木構築物用ユニット５の吊り上げ搬送時に、コン
クリートベース７の下側中央付近に最大曲げモーメントが作用するとしても、十分に抗することができることになっている。
【００２３】
前記コンクリートベース７の上面には、図２〜図４に示すように、自然石１３が植石されている。この植石用自然石１３にも直線状のアンカー１１が、その一端部をもって連結されており、そのアンカー１１の一端部よりも他端側とその植石用自然石１３の一部とは、コンクリートベース７が未硬化状態にある時間を利用して、該コンクリートベース７内に埋め込まれている。勿論、この植石用自然石１３に関しては、アンカー１１を省いたものを埋め込むだけの構成にしてもよいし、植石用自然石１３自体を省いてもよい。
尚、図４において、仮想線７は、植石用自然石１３を埋め込む前のコンクリートベース７上面を示す。
【００２４】
次に、上記第１実施形態に係る土木構築物用ユニット５の製造方法について、図４〜図７に基づいて説明する。
先ず、正方形状のシート８と、複数の自然石６と、アンカー１１と、複数の間詰石１４とを用意する。
【００２５】
次に、図５に示すように、シート８を敷き、そのシート８上の周縁部に複数の自然石６を、若干の隙間９をあけつつ並べる。複数の自然石６により区画空間１０を区画するためである。
【００２６】
次に、各自然石６に、区画空間１０内に臨む側において、取付け孔１２を形成し、その取付け孔１２に取付け具（図示略）を取付けた後、その取付け具（取付け孔１２）に対して、アンカー１１を、その他端側を区画空間１０内に向けつつ、その一端部をもって取付ける。各自然石６を、この後のコンクリート充填により形成されるコンクリートベース７に取付けるためである。
【００２７】
この場合、各アンカー１１の他端側は、図４，図５に示すように、シート８の中央部付近に集められて、交差される。この後のコンクリート充填によって形成されるコンクリートベース７において、その下側中央部付近の剛性を高め、当該土木構築物用ユニット５の吊り上げ搬送を確実に行えるようにするためである。この際、各アンカー１１の他端部に環状のスペーサ（図示略）を嵌め込んで、その環状スペーサとシート８とを当接させることにより、各アンカー１１の他端部をシート８から浮かせた位置とし、その各アンカー１１の他端部を含め全てがコンクリート内に完全に収まるようにすることが好ましい。またその際には、長めのアンカー（図５中、対角線上に配置されるもの）１１からセットし、その長めのアンカー１１に対して短めのアンカー（シート８の辺に対して直角に延びるもの）１１を交差させるように載せることが好ましい。短めのアンカー１１に対して、前述の環状のスペーサを取付けなくても、その短めのアンカー１１をコンクリート内に完全に収納できることになり、環状のスペーサの使用数を減らすことができるからである。
【００２８】
次に、図５に示すように、シート８上に間詰石１４を、隣り合う自然石６間において配置して、一定の高さまで自然石６間の隙間９を塞ぐ。後述のコンクリートの充填時に、コンクリートが隙間９から漏れ出さないようにするためである。また、自然石６上端までの高さまでの隙間９を間詰石１４により全て塞がず、一定の高さまでの隙間を間詰石１４により塞ぐこととしているのは、コンクリート（未硬化状態）がある程度の粘度を有し、隙間９全体を塞がなくても、コンクリートの自己保持性（スランプ５程度以下）に基づき、漏れ出すことを防げるからである。
この場合、間詰石１４は、自然石６の外側で隙間９を塞ぐ。コンクリート（未硬化状態のもの）を隙間９まで進入させて、コンクリートベース７の容積（重量）をできるだけ増大させると共に、コンクリートの硬化後において、コンクリートベース７（外周縁部）と
各自然石６との係合関係を確保するためである。
【００２９】
次に、図６、図７に示すように、前記複数の自然石６が区画する区画空間１０内にコンクリートを充填する。そのコンクリートを硬化させて、重量物としてのコンクリートベース７を形成すると共に、各アンカー１１を埋設して各自然石６をコンクリートベース７に連結するためである。勿論、各自然石６とコンクリートとを接着するためでもある。
この場合、コンクリートは、自然石の高さの４／５程度の高さになるまで充填される。この後に、植石用自然石１３等が埋め込まれる容積を考慮する必要があるからである。
【００３０】
次に、前記コンクリートが未硬化状態にあるうちに、図４に示すように、植石用自然石１３の一部及びその植石用自然石１３に連結されるアンカー１１を、コンクリート内に埋め込む。これにより、所定時間経過後にコンクリートが硬化することになり、当該土木構築物用ユニット５を得ることになる。
この場合、本実施形態においては、コンクリートの硬化後に、間詰石１４を取り除くこととしたが（図２，図３参照）、間詰石１４が、コンクリートに対して接着されると共に、自然石６に対してある程度の係合力をもって係合することから、間詰石１４をそのまま土木構築物用ユニット５に残してもよい。
【００３１】
したがって、この第１実施形態に係る土木構築物用ユニット５においては、複数の自然石６，１３及びコンクリートベース７の各重量により重量安定を確保できると共に、コンクリートベース７表面の複数の自然石６，１３に基づき、周囲の自然環境に調和させることができることになるが、これらは、籠等の収納容器を省いて、基本的に、複数の自然石６と、コンクリートベース７と、各自然石６をコンクリートベース７に取付けるためのアンカー１１とにより形成できることになることから、できるだけ少ない部品をもって当該土木構築物用ユニット５が得られることになる。
【００３２】
しかも、この土木構築物用ユニット５の製造においては、複数の自然石６により区画空間１０を形成して、その区画空間１０を形成する複数の自然石６をコンクリート（コンクリートベース７）の区画壁（型枠）として利用すると共に、その各自然石６を周囲の自然環境に調和させるために利用すべく、そのままとして脱型を不要とすることとしており、製造負担を軽減できることになる。
【００３３】
また、この第１実施形態においては、製造段階において、間詰石１４を隣り合う自然石６間に配置するに際して、自然石６の外側に配置することから、コンクリートを隣り合う自然石６間の隙間９にも進入させ、コンクリートベース７の容積（重量）を増大させることができると共に、不規則で複雑な形状の各自然石６とコンクリートベースとの間で効果的な係合関係を得ることができることになる。
【００３４】
さらに、この第１実施形態においては、アンカー１１は、コンクリートベース７との間で摩擦力を得ることができるだけでなく、アンカー１１がコンクリートベース７の下面（施工面）に対して傾斜（傾斜角θ）されていることに基づき、コンクリートベース７に対して大きな抵抗力Ｒが得られることになり、コンクリートベース７の側面からの自然石６の脱落を確実に防止できることになる。
【００３５】
図８〜図１０は第２実施形態、図１１〜図１３は第３実施形態、図１４、図１５は第４実施形態、図１６〜図１８は第５実施形態、図１９は第６実施形態、図２０は第７実施形態、図２１は第８実施形態、図２２は第９実施形態、図２３は第１０実施形態、図２４は第１１実施形態を示す。この各実施形態において、前記第１実施形態及び該当実施形態と同一構成要素については同一符号を付してその説明を省略する。
【００３６】
図８〜図１０に示す第２実施形態は、前記第１実施形態に係る土木構築物用ユニット５の変形例を示す。この第２実施形態に係る土木構築物用ユニット５においては、隣り合う自然石６間に配置する間詰石１４が、該自然石６の内側（区画空間１０内側）に配置されて、コンクリートベース７の外周縁部は、隙間９内にまで及ばない構成となっている。このため、隣り合う自然石６間の各隙間９は、その各自然石６の不規則で複雑な形状を生かしつつ、外部に開口する空間を形成することになっており、これが、動植物の生息空間としての機能、消波機能等を高めることになっている。
【００３７】
この場合、間詰石１４だけでなく、繊維状のシート、弾性体、生分解プラスチックを、単独又は複合的に詰め材として用いて、隙間９を塞ぐことが好ましい。特に繊維状のシートとしては、植物由来のもの、例えばヤシ繊維の不織布が好ましく、弾性体としては、スポンジ、ワタ、海帛、発泡ウレタン等、植物由来の繊維等が好ましい。
【００３８】
したがって、上記構成を得るため、この土木構築物用ユニット５の製造段階においては、図１０に示すように、複数の自然石６をシート８の周縁部上に並べた後、各隣り合う自然石６間の隙間９の内側に間詰石１４（好ましくは繊維状のシート等も）が配置され、その間詰石１４と複数の自然石６とにより区画される区画空間１０内にコンクリートが充填される。
【００３９】
図１１〜図１３に示す第３実施形態は、前記第１実施形態の変形例を示す。この第３実施形態に係る土木構築物用ユニット５は、複数の自然石６が４個設けられ、植石用自然石１３が１個設けられた構成となっている。具体的には、一辺が１．３ｍ前後とされた正方形のシート８上の周縁部に４個の自然石（径が６００ｍｍ前後）が隙間９をあけて並べられ、その４個の自然石６が区画する区画空間１０内にコンクリートベース７が配置され、そのコンクリートベース７の上面に１個の植石用自然石１３が植石されている。このため、この第３実施形態においては、製造段階において、図１３に示すように、４個の自然石６をシート８の周縁部上に並べた後、各隣り合う自然石６間の隙間９の外側に間詰石１４が配置され、その間詰石１４と複数の自然石６とにより区画される区画空間１０内にコンクリートが充填される。そしてその後、コンクリートが未硬化状態のうちに、植石用自然石１３がコンクリート上部に埋め込まれる。この場合も、詰め材として、間詰石１４だけでなく、繊維状のシート、弾性体、生分解プラスチックを、単独又は複合的に詰め材として用いて、隙間９を塞ぐことが好ましい。
【００４０】
図１４、図１５に示す第４実施形態においては、４つの自然石６が互いに当接した状態で並べられていると共に、その下側に自然石１５、その上側に自然石１６がそれぞれ配置される構成となっており、この土木構築物用ユニット５を多数重ねて用いることにより、護岸、護床機能に加えて、消波機能をも発揮することになっている。
【００４１】
この土木構築物用ユニット５を製造するに際しては、自然石１５の大部分を、そのアンカー１１が上方に向って延びるようにしつつ作業面下に埋め、その自然石１５の周囲に４個の自然石６を互いに当接するようにしつつ配置し、その４個の自然石６により区画空間１０を区画する。勿論この場合、各自然石６の各アンカー１１は、その他端側が区画空間１０内の下側中央に向けて傾斜される。
次に、４個の自然石６の周囲に、砂１７を盛り、その砂１７により、隣り合う自然石６間の隙間を塞ぎ、その状態で、区画空間１０内にコンクリートを充填する。
そしてその後、コンクリートが未硬化状態のうちに、そのコンクリート内に自然石１６のアンカー（図示略）を差し込むことにより、自然石１６を４個の自然石６の中央部に降ろし、自然石１６により区画空間１０の上側を塞ぐ。これにより、コンクリートの硬化を待って、第４実施形態に係る土木構築物用ユニット５が得られることになる。
【００４２】
図１６〜図１８に示す第５実施形態は、前記第１実施形態の変形例を示す。この第５実施形態に係る土木構築物用ユニット５においては、各自然石６におけるアンカー１１の他端部が、コンクリートベース７内において、連結板としての金網１８に連結されている。
すなわち、この土木構築物用ユニット５においては、その製造に際して、図１８に示すように、シート８上に、複数の自然石６が区画する区画空間１０内において、金網１８が配設され、その金網１８に対して各自然石６における各アンカー１１の他端部が連結される。そして、間詰石１４により隣り合う自然石６間の隙間９を塞いだ後、そのような状態の区画空間１０内にコンクリートが充填され、そのコンクリート上面に植石用自然石１３が植石される。
【００４３】
これにより、コンクリートベース７に対する各アンカー１１の摩擦力、各アンカー１１の傾斜に基づく抵抗力の他に、各アンカー１１の一体化が加わることになり、自然石６がコンクリートベース６から脱落することが一層確実に防止できることになる。
しかもこの場合、金網１８は、土木構築物用ユニット５（コンクリートベース７）の剛性、強度を高めることになる。
【００４４】
図１９に示す第６実施形態は、アンカー１１の変形例を示す。この第６実施形態に係るアンカー１１は、全体が直線状ではなく、その一端部１１ａに、自然石６における取付け鋼２内の取付け具（図示略）に螺合するための雄ねじ部が形成されている一方、その他端部には、径方向外方に拡径された拡径部１１ｂが形成されている。このアンカー１１を各実施形態において用いることにより、コンクリートベース７内部と拡径部１１ｂとの間で強固な係合関係が得られることになり、一層確実に、自然石６がコンクリートベース７から脱落することを防止できることになる。
【００４５】
図２０に示す第７実施形態は、前記第１実施形態の変形例を示すものである。この第７実施形態においては、自然石６に対してアンカー１１の一端部を取付けるに際して、接着剤が用いられている。このため、複数の自然石６をシート８上に並べた後、取付け孔１２を形成するに際しては、斜め上方から下方に向けて延びる孔が形成され、その取付け孔１２内に接着剤を注入しても、その接着剤がこぼれないようになっている。具体的には、角度として、水平方向に対して３０〜４５°程度が好ましく、位置としては、当該自然石６の上、下端からそれぞれ５０ｍｍの間に形成することが好ましい。
またこれに伴い、アンカー１１は、その一端部１１ａに対して他端部１１ｂ側が略への字状に折曲されており、そのアンカー１１の一端部を接着剤を介して取付け孔１２に取付けた場合には、その他端部１１ｂ側は、前記各実施形態同様、当該自然石６から離れるに従って低くなるように傾斜することになっている。これにより、アンカー１１の傾斜配置が可能になるだけでなく、自然石６とアンカー１１の一端部１１ａとの強固な係合関係も得られることになり、自然石６とアンカー１１との一体化が強固なものとなる。このアンカー１１の折曲状態に関しては、自然石６への取付け前に予め形成しておいてもよいし、自然石６への取付け後、アンカー１１の他端側を折曲してしてもよい。
さらに、この各アンカー１１の他端部には環状スペーサ２０が嵌め込まれている。この環状スペーサ２０は、シート８と当接することにより、各アンカー１１の他端部をシート８から浮かせた位置状態とし、その各アンカー１１の他端部を含め全てがコンクリート（コンクリートベース７）内に完全に収める機能を有している。
【００４６】
図２１に示す第８実施形態は、前記第７実施形態の変形例を示すものである。この第８実施形態においては、各自然石６の取付け孔１２が、区画空間１０に臨む側において、該各自然石６の上下方向略中間位置に位置されており、その各取付け孔１２に対してアンカー１１の一端部１１ａが、前記各実施形態同様、接着剤或いは螺合関係を利用して取付けられている。この各アンカー１１は、その一端部１１ａよりも他端側に関し、取付け孔１２の近傍で、先ず下方側に折曲されて第１折曲部分３１が形成され、その第１折曲部分３
１がシート８の上面近傍にまで至ると、再び折曲されて第２折曲部分３２が形成され、その第２折曲部分３２がシート８の上面に沿って延ばされることになっている。この各アンカー１１の他端部外周には、環状のスペーサ２０が取付けられており、各アンカー１１の他端側は、第７実施形態同様、シート８から浮いた位置状態を採ることになっている。このような複数のアンカー付き自然石６が区画する区画空間１０内には、コンクリートが充填されて、各アンカー１１がコンクリート内に埋設されることになっており、このコンクリートの硬化により、自然石６を側面に連結した状態のコンクリートベース７（図２中、仮想線参照）が形成されることになっている。
【００４７】
したがって、アンカー１１のうち、第１折曲部分３１がコンクリートベース７との係合関係を確保して、自然石６の脱落防止の確実性を高めることになり、アンカー１１のうち、第２折曲部分３２（コンクリートベース７の下部において該コンクリートベース７の下面に沿う部分）が該コンクリートベース７の曲げ剛性を高めて、吊り上げ搬送を確実に行わせることになる。勿論この場合、環状のスペーサ２０を螺合関係等をもってアンカー１１の他端部外周に強固に取付けるようにすれば、上記アンカー１１の第１折曲部分３１だけでなく、環状のスペーサ２０もストッパとしてコンクリートベース７に係合することになり、アンカー１１のアンカー機能（移動抑制機能）は高まることになる。
【００４８】
図２２に示す第９実施形態は、前記第１実施形態の変形例を示すものである。この第９実施形態においては、各自然石６の下部に、区画空間１０に臨む側において、上方に向うに従って区画空間１０の外側に向けて傾斜する取付け孔１２が形成されており、その各取付け孔１２内に、前記各実施形態同様、アンカー１１の一端部１１ａが取付けられている（接着剤等の連結手段に関しては図示略）。このアンカー１１は、その一端部１１ａに対して他端部１１ｂ側が略への字状に折曲されており、その他端部１１ｂ側は、当該自然石６から離れるに従って高くなるように傾斜されている。
【００４９】
これにより、アンカー１１の傾斜配置（他端部１１ｂ側が上向き傾斜配置）に基づいて、コンクリート充填後において、アンカー１１の他端部１１ｂ側とコンクリートベース７との間に係合関係が得られ、その係合関係により、アンカー１１はコンクリートベース７に保持されることになる。その一方、アンカー１１の一端部１１ａが、斜め上向き（外向き）の状態で取付け孔１２に挿入されて（取付けられて）、接着剤等の連結手段だけでなく、自然石６とアンカー１１の一端部１１ａとの間の係合関係も、自然石６とアンカー１１との一体化に利用される（自然石６の脱落防止向上）。このため、コンクリートベース７の側面には、自然石６が強固に保持されることになる。尚、アンカー１１の折曲状態に関しては、自然石６への取付け前に予め形成しておいてもよいし、自然石６への取付け後、アンカー１１の他端側を折曲してしてもよい。
【００５０】
図２３に示す第１０実施形態は、前記第９実施形態の変形例を示すものである。この第１０実施形態においては、各アンカー１１は、自然石６の下部に取付けられる一端部１１ａに連続する連続部分３３を有し、その連続部分３３は、シート８の上面上方において、シート８の上面に沿いつつ、そのアンカー１１が取付けられている自然石６に対向する自然石６の近傍まで延びることになっている。この連続部分３３には、起立部分３４が連なっており、その起立部分３４は、上方に向けて起立されることになっている。この起立部分３４は、各自然石６の上部近くまで延びており、その起立部分３４の起立端部（アンカー１１の他端部１１ｂ）には、環状の引っ掛け部３５が形成されている。このようなアンカー付き自然石６が区画する区画空間１０内には、コンクリートが充填されてコンクリートベース７が配置されており、そのコンクリートベース７内には上記各アンカー１１が埋設されることになっている。すなわち、アンカー１１の連続部分３３は、コンクリートベース７内下部において、そのコンクリートベース７の下面に沿うように配置され、アンカー１１の起立部分３４は、その大部分がコンクリートベース７の内部に上下方向に延びる
ように配置されることになっている。しかし、各アンカー１１の引っ掛け部３５に関しては、コンクリートベース７の上面よりも上方に突出して位置することになっており、その各引っ掛け部３５には吊り上げ金具（クレーン等に吊り上げられる搬送具）のフックを引っ掛けることができることになっている。
【００５１】
したがって、この第１０実施形態においては、コンクリートベース７の下部に位置する各アンカー１１の連続部分３３によりコンクリートベース７の曲げ強度を高めて、吊り上げ搬送を確実に行うことができると共に、アンカー１１の他端部を有効に利用して、吊り上げ搬送のための引っ掛け部３５を形成できることになる。
【００５２】
図２４に示す第１１実施形態は、前記第１実施形態の変形例を示すものである。この第１１実施形態においては、各アンカー１１は、自然石６の下部に取付けられる一端部１１ａに連続する他端側が、シート８の上面上方において、シート８の上面に沿いつつ、そのアンカー１１が取付けられている自然石６に対向する自然石６の近傍まで延びることになっている。この各アンカー１１の他端部外周には、環状のスペーサ２０が取付けられており、各アンカー１１の他端側は、第７実施形態等同様、シート８から浮いた位置状態を採ることになっている。このようなアンカー付き自然石６が区画する区画空間１０内には、コンクリートが充填されてコンクリートベース７が配置されており、そのコンクリートベース７内の下部に上記各アンカー１１の他端側が埋設されることになっている。
したがって、この第１１実施形態においては、コンクリートベース７の下部に位置する各アンカー１１によりコンクリートベース７の曲げ強度を高めて、吊り上げ搬送を確実に行うことができることになる。
【００５３】
以上実施形態について説明したが本発明にあっては、次のような態様を包含する。
（１）複数の自然石６を当接するようにしつつ並べて、隣り合う自然石６間にできるだけ隙間９を形成しないようにすること。そしてその場合においては、隙間９をなくすために、ヤシの繊維等の不織布等を自然石６間に挟み込むことが好ましい。
（２）塊状部材として、自然石６、１３、１５、１６の他に、擬石、ブロック等を用いること。
（３）各実施形態に係る土木構築物用ユニット５を、河川、湖等の護岸、根固め構造物、消波構造物等として適宜、用いること。
（４）土木構築物用ユニット５を、シート８を除いたものとすること。これには、剥離性を有するシート８上で土木構築物用ユニット５の製造を行った後、そのシート８を取り除く態様と、シート８を当初から用いることなく、剥離性のある作業面、砂場（作業面）等で土木構築物用ユニット５を製造する態様を含む。
（５）コンクリートベース７の下面を、溝、凹凸等の凹凸面に形成して、それを施工面に対するストッパとして機能させること。このため、製造に際し、複数の自然石６を並べる製造作業面を、少なくとも区画空間１０内において凹凸面としておくことが好ましい。
（６）自然石６に対してアンカー１１の一端部を取付けるに際しては、既知の各種の取付け具を利用すること。
（７）第４実施形態だけでなく、他の実施形態においても金網１８をコンクリートベース７内に内蔵させることにより、土木構築物用ユニット５の剛性、強度を向上させること。（８）実施形態においては、作業性を考慮して、自然石６を、区画空間１０を形成するように並べた後に、アンカー１１を取付けることとしているが、勿論、予め自然石６にアンカー１１を取付けておき、それを並べるようにしてもよいこと。
（９）土木構築物用ユニット５において、コンクリートベース７に換えて、詰め石等の充填材を用いることが考えられるが（この場合には、複数の自然石６の下側にシート８等を設ける必要がある）、重量物としての充填材の使用は、吊り上げ搬送の確実性等の観点から、施工面において、製造と設置とが同時に行われる場合に好ましいこと。
（１０）抵抗力発生手段として、アンカー１１の本体又は他端部に異形棒鋼、コイルを用
いたり、アンカー１１の他端部を、Ｌ字形状、フック形状、Ｕ字形状等に適宜屈曲させること。
（１１）各自然石６に、２本以上（好ましくは２本）のアンカー１１を用いること。
（１２）連結板としての金網１８に換えて、コンクリートベース７（コンクリート基盤）内に補強鉄筋枠を埋め込み、各アンカー１１の他端部を補強鉄筋枠に連結すること。これにより、コンクリートベース７からの自然石（塊状部材）の脱落を極めて大きな保持力をもって防止できることになる。
（１３）第８〜第１１実施形態においては、予め、アンカー付き自然石６を用意した上で、そのアンカー付き自然石６を用いて区画空間１０を区画することが好ましいが、自然石６をもって区画空間１０を区画した後に、その各自然石６にアンカー１１の一端部１１ａを取付けてもよいこと。
（１４）当該土木構築物用ユニットの製造方法として、複数の自然石６（塊状部材）を区画壁として並べて、区画空間１０を区画すると共に、該区画空間１０内に該各自然石６の各アンカー１１を配置させ、次に、前記区画空間内に前記コンクリートを充填する場合において（請求項２１）において、請求項１０〜１３の内容を適用すること。
（１５）間詰石１４に代わる詰め材として、砂袋、石袋、その他シート状の物、袋体の中に高分子ポリマーを詰めたもの（自然石６間に詰め、水をかけて膨張させて各自然石６との密着性を高めるもの）、ゴム、発泡スチロール、水袋、雪等を用いること。
（１６）作業面上にシート８を敷くことに代えて、砂や小礫等を敷き、その上で、各実施形態に係る土木構築物用ユニット５を製造すること。
（１７）第１１実施形態と逆に、アンカー１１の他端側を、コンクリートベース７内上部において、該コンクリートベース７の上面に沿うように延ばすこと。これにより、土木構築物用ユニット５を、その周縁部ではなく平面視中央部を吊り上げた場合には、その上部中央部に最大曲げモーメントが働くことになるが、アンカー１１によりコンクリートベース７の曲げ強度が高められることになり、そのような吊り上げ搬送を確実に行うことができることになる。
【図面の簡単な説明】
【００５４】
【図１】第１実施形態に係る護岸を説明する説明図。
【図２】第１実施形態に係る土木構築物用ユニットを示す平面図。
【図３】図２に係る土木構築物用ユニットを示す正面図。
【図４】第１実施形態に係る土木構築物用ユニットの内部構造を説明する説明図。
【図５】第１実施形態に係る土木構築物用ユニットを製造するための製造工程を説明する説明図。
【図６】図５の次の製造工程を説明する説明図。
【図７】図６に係る土木構築物用ユニットの内部構造を説明する説明図。
【図８】第２実施形態に係る土木構築物用ユニットを示す平面図。
【図９】図８に係る土木構築物用ユニットを示す正面図。
【図１０】第２実施形態に係る土木構築物用ユニットを製造するための製造工程を説明する説明図。
【図１１】第３実施形態に係る土木構築物用ユニットを示す平面図。
【図１２】図１１に係る土木構築物用ユニットを示す正面図。
【図１３】第３実施形態に係る土木構築物用ユニットを製造するための製造工程を説明する説明図。
【図１４】第４実施形態に係る土木構築物用ユニットを示す正面図。
【図１５】第４実施形態に係る土木構築物用ユニットを製造するための製造工程を説明する説明図。
【図１６】第５実施形態に係る土木構築物用ユニットを示す正面図。
【図１７】図１６に係る土木構築物用ユニットを示す正面図。
【図１８】第５実施形態に係る土木構築物用ユニットを製造するための製造工程を説明する説明図。
【図１９】第６実施形態に係るアンカーを説明する説明図。
【図２０】第７実施形態に係る土木構築物用ユニットを説明する説明図。
【図２１】第８実施形態に係る土木構築物用ユニットを説明する説明図。
【図２２】第９実施形態に係る土木構築物用ユニットを説明する説明図。
【図２３】第１０実施形態に係る土木構築物用ユニットを説明する説明図。
【図２４】第１１実施形態に係る土木構築物用ユニットを説明する説明図。
【符号の説明】
【００５５】
４  被覆石層（施工面）
５  土木構築物用ユニット
６  自然石（塊状部材）
７  コンクリートベース(コンクリート基盤）
１０  区画空間
１１  アンカー
１３  植石用自然石
１４  間詰石（詰め材）
１５  自然石(塊状部材）
１６  自然石(塊状部材）
【図１】
2006132314.tif 000003
【図２】
2006132314.tif 000004
【図３】
2006132314.tif 000005
【図４】
2006132314.tif 000006
【図５】
2006132314.tif 000007
【図６】
2006132314.tif 000008
【図７】
2006132314.tif 000009
【図８】
2006132314.tif 000010
【図９】
2006132314.tif 000011
【図１０】
2006132314.tif 000012
【図１１】
2006132314.tif 000013
【図１２】
2006132314.tif 000014
【図１３】
2006132314.tif 000015
【図１４】
2006132314.tif 000016
【図１５】
2006132314.tif 000017
【図１６】
2006132314.tif 000018
【図１７】
2006132314.tif 000019
【図１８】
2006132314.tif 000020
【図１９】
2006132314.tif 000021
【図２０】
2006132314.tif 000022
【図２１】
2006132314.tif 000023
【図２２】
2006132314.tif 000024
【図２３】
2006132314.tif 000025
【図２４】
2006132314.tif 000026